(57)【要約】【課題】  本発明は、網終端装置に関し、電話機や端末の運用の形態に適合し、かつ発信者番号通知機能が有効に活用されることを目的とする。【解決手段】  蓄積交換網またはメッセージ交換網と回線交換網とにアクセスし得る複数の端末に生起した呼毎に、蓄積交換網またはメッセージ交換網と回線交換網との何れか一方と、複数の端末の個別の収容に供され、回線交換網の信号方式に適合しないリンクとのインタフェースをとる網終端装置において、複数の端末に生起する着信呼の発信者番号毎に、着信応答に対する適用が許容される全ての端末が予め登録された記憶手段と、信号方式に基づいて回線交換網から通知された発信者番号を取得する発信者番号取得手段と、取得された発信者番号に対応して記憶手段に登録された全ての端末に、鳴動の対象を制限し、かつ取得された発信者番号を通知する制御手段とを備えて構成される。【選択図】    図１
2006050156.tif 000002
【特許請求の範囲】
【請求項１】
蓄積交換網またはメッセージ交換網と、回線交換網とにアクセスし得る複数の端末に生起した呼毎に、前記蓄積交換網または前記メッセージ交換網と、前記回線交換網との何れか一方と、前記複数の端末の個別の収容に供され、かつ前記回線交換網の信号方式に適合しないリンクとのインタフェースをとる網終端装置において、
前記複数の端末に生起する着信呼の発信者番号毎に、前記複数の端末の内、着信応答に対する適用が許容される全ての端末が予め登録された記憶手段と、
前記信号方式に基づいて前記回線交換網から通知された発信者番号を取得する発信者番号取得手段と、
前記取得された発信者番号に対応して前記記憶手段に登録された全ての端末に、鳴動の対象を制限し、かつ前記取得された発信者番号を通知する制御手段と
を備えたことを特徴とする網終端装置。
【請求項２】
請求項１に記載の網終端装置において、
前記蓄積交換網または前記メッセージ交換網に対するアクセスは、
前記回線交換網に収容された加入者線と異なるリンクを介して行われる
ことを特徴とする網終端装置。
【請求項３】
ＩＰ網と、回線交換網とにアクセスし得る複数の端末に生起した呼毎に、前記ＩＰ網と、前記回線交換網との何れか一方と、前記複数の端末の個別の収容に供され、かつ前記回線交換網の信号方式に適合しないリンクとのインタフェースをとる網終端装置において、
前記複数の端末に生起する着信呼の発信者番号毎に、前記複数の端末の内、着信応答に対する適用が許容される全ての端末が予め登録された記憶手段と、
前記信号方式に基づいて前記回線交換網から通知された発信者番号を取得する発信者番号取得手段と、
前記取得された発信者番号に対応して前記記憶手段に登録された全ての端末に、鳴動の対象を制限し、かつ前記取得された発信者番号を通知する制御手段と
を備えたことを特徴とする網終端装置。
【請求項４】
請求項３に記載の網終端装置において、
前記ＩＰ網に対するアクセスは、
前記回線交換網に収容された加入者線の共用によって形成されたディジタル加入者線を介して行われる
ことを特徴とする網終端装置。
【請求項５】
請求項１ないし請求項４の何れか１項に記載の網終端装置において、
前記記憶手段には、
前記複数の端末に生起する着信呼の発信者番号毎に、前記複数の端末の前記着信応答に対する適用の拒否を個別に示す二値情報として、着信応答に対する適用が許容される全ての端末が予め登録された
ことを特徴とする網終端装置。
【発明の詳細な説明】
【技術分野】
【０００１】
本発明は、蓄積交換網またはメッセージ交換網と、回線交換網とを終端し、これらの網と複数の端末とのインタフェースをとる網終端装置に関する。
【背景技術】
【０００２】
近年、アナログの公衆電話網に収容された加入者線には発信者番号通知の機能を有する電話機が多く接続され、このような電話機に生起した着信呼の発信者の特定に用いられている。また、このような電話機（親機との間に無線伝送路を介して接続される子機を含む。）は、例えば、ＡＤＳＬ(Asymmetric Digital Subscriber Line)モデムを介して加入者線に接続されることによって通話料金が安いＩＰ電話の利用にも用いられつつある。
【０００３】
なお、本発明に関連する先行技術としては、後述する特許文献１、２および非特許文献１に掲載された下記の技術がある。
・  特許文献１…「複数の通信網から選択した１つの回線を使用して２つの電話機間で通信を行う際に、複数の通信網間で回線を適宜切り替えるテレホンアダプタ装置であって、公衆網以外の通信網を伝送される、当該通信網に対応した情報と、公衆網のナンバーディスプレイ機能に対応した情報とを互いに変換することによって、上述した公衆網以外の通信網をナンバーディスプレイ機能に対応させる通信制御部を備えた点に特徴があるテレホンアダプタ装置」
・  特許文献２…「複数の電話機を接続してこれらの複数の電話機によるインタネット電話を可能としたインタネット電話システムであって、発信者側の電話番号を検知する電話番号検知部と、上述した複数の電話機毎に通話相手の電話番号を登録する記憶部とを備え、この電話番号検知部により検知された電話番号に基づいて記憶部に通話相手として登録されている電話機を選択してベルを鳴らす点に特徴があるインタネット電話システム」
・  非特許文献１…『ＶｏＩＰルータと組み合わせて用いられることによって、親機、子機の全ての端末を一斉に呼び出す代表番号と同時に、子機に直通番号を割り振れる点に特徴がある「子機に個別に０５０を割り振れる家庭向けＩＰ電話」』
【特許文献１】特開２００３−２５８９８６号公報
【特許文献２】特開２００２−１８５６３９号公報
【非特許文献１】http://bb.watch.impress.co.jp/cda/event/2863.html
【発明の開示】
【発明が解決しようとする課題】
【０００４】
しかし、従来例では、発信者番号通知の機能は、加入者線に着信呼が生起しても、上述した発信者番号通知を実現する信号方式に適合した振る舞いを行う機能が多くのＡＤＳＬモデムに備えられていないために、このようなＡＤＳＬモデムを介して接続される子機（以下、「端末」という。）には備えられない場合が多かった。
また、従来、発信者番号通知機能の利用が可能であっても、加入者線を介して着信呼が生起した場合には、上述した電話機および端末の内、特定の一台または全てが鳴動の対象となっていた。
【０００５】
したがって、発信者番号通知機能の活用は、望ましい形態では必ずしも実現されていなかった。
本発明は、電話機や端末の運用の形態に適合し、かつ発信者番号通知機能が有効に活用される網終端装置を提供することを目的とする。
【課題を解決するための手段】
【０００６】
請求項１に記載の発明では、蓄積交換網またはメッセージ交換網と、回線交換網とにアクセスし得る複数の端末に生起した呼毎に、蓄積交換網またはメッセージ交換網と、回線交換網との何れか一方と、複数の端末の個別の収容に供され、かつ回線交換網の信号方式に適合しないリンクとのインタフェースをとる網終端装置において、記憶手段には、複数の端末に生起する着信呼の発信者番号毎に、複数の端末の内、着信応答に対する適用が許容される全ての端末が予め登録される。発信者番号取得手段は、信号方式に基づいて回線交換網から通知された発信者番号を取得する。制御手段は、取得された発信者番号に対応して記憶手段に登録された全ての端末に、鳴動の対象を制限し、かつ取得された発信者番号を通知する。
【０００７】
すなわち、回線交換網を介して着信した呼については、発信者に応じて着信応答に対する適用が許容される所望の端末のみが鳴動し、これらの端末を介してその発信者の発信者番号がユーザに通知される。さらに、何れの端末も、記憶手段に登録された内容に応じて、発信元が所望の発信者番号で示される着信呼に応じた鳴動の対象から除外される。
したがって、端末の配置に併せて、個々の端末が所属するグループ、組織および部署の構成に対して柔軟に適応した形態で電話が運用され、かつ発信者番号通知の機能が有効に活用される。さらに、着信呼に応じた無用な応答や転送等の取り次ぎが回避され、かつ作業や業務の遂行にかかわる環境が適正に維持されると共に、発信者番号通知の利便性が高められる。
【０００８】
請求項２に記載の発明では、蓄積交換網またはメッセージ交換網に対するアクセスは、回線交換網に収容された加入者線と異なるリンクを介して行われる。
すなわち、回線交換網に併せて、その回線交換網と異なる網を終端する網終端装置においても、請求項１に記載の発明と同様に、「このような回線交換網を介して着信した呼に対する応答に供され、かつ発信者番号の通知先となる端末」が所望の端末に限定されると共に、何れの端末も発信元が所望の発信者番号で示される着信呼に応じた鳴動の対象から除外される。
【０００９】
したがって、データ伝送やＩＰ電話にかかわるサービスの提供に併せて、所望の形態による電話の運用と発信者番号通知の機能の有効な活用とが図られる。
請求項３に記載の発明では、ＩＰ網と、回線交換網とにアクセスし得る複数の端末に生起した呼毎に、ＩＰ網と、回線交換網との何れか一方と、複数の端末の個別の収容に供され、かつ回線交換網の信号方式に適合しないリンクとのインタフェースをとる網終端装置において、記憶手段には、複数の端末に生起する着信呼の発信者番号毎に、複数の端末の内、着信応答に対する適用が許容される全ての端末が予め登録される。発信者番号取得手段は、信号方式に基づいて回線交換網から通知された発信者番号を取得する。制御手段は、取得された発信者番号に対応して記憶手段に登録された全ての端末に、鳴動の対象を制限し、かつ取得された発信者番号を通知する。
【００１０】
すなわち、回線交換網を介して着信した呼については、発信者に応じて着信応答に対する適用が許容される所望の端末のみが鳴動し、これらの端末を介してその発信者の発信者番号がユーザに通知される。さらに、何れの端末も、記憶手段に登録された内容に応じて、発信元が所望の発信者番号で示される着信呼に応じた鳴動の対象から除外される。
したがって、端末の配置に併せて、個々の端末が所属するグループ、組織および部署の構成に対して柔軟に適応した形態で電話が運用され、かつ発信者番号通知の機能が有効に活用される。さらに、着信呼に応じた無用な応答や転送等の取り次ぎが回避され、かつ作業や業務の遂行にかかわる環境が適正に維持されると共に、発信者番号通知の利便性が高められる。
【００１１】
請求項４に記載の発明では、ＩＰ網に対するアクセスは、回線交換網に収容された加入者線の共用によって形成されたディジタル加入者線を介して行われる。
すなわち、回線交換網に併せてＩＰ網を終端する網終端装置においても、請求項３に記載の発明と同様に、「このような回線交換網を介して着信した呼に対する応答に供され、かつ発信者番号の通知先となる端末」が所望の端末に限定されると共に、何れの端末も発信元が所望の発信者番号で示される着信呼に応じた鳴動の対象から除外される。
【００１２】
したがって、データ伝送やＩＰ電話にかかわるサービスの提供に併せて、所望の形態による電話の運用と発信者番号通知の機能の有効な活用とが図られる。
請求項５に記載の発明では、記憶手段には、複数の端末に生起する着信呼の発信者番号毎に、複数の端末の着信応答に対する適用の許否を個別に示す二値情報として、着信応答に対する適用が許容される全ての端末が予め登録される。
【００１３】
すなわち、記憶手段の記憶領域のサイズは、「既述の着信呼の発信者番号毎に登録され、かつ上述した着信応答に対する適用が許容され、あるいは許容されない端末」の識別子の語長と最大の数との積に比べて、端末の総数が小さいほど削減される。
したがって、このような記憶手段を参照することによって制御手段が行う処理の処理量も削減され、消費電力の節減に併せて応答性の向上が図られる。
【発明の効果】
【００１４】
上述したように請求項１、３に記載の発明では、端末の配置に併せて、個々の端末が所属するグループ、組織および部署の構成に対して柔軟に適応した形態で電話が運用され、かつ発信者番号通知の機能が有効に活用される。さらに、着信呼に応じた無用な応答や転送等の取り次ぎが回避され、かつ作業や業務の遂行にかかわる環境が適正に維持されると共に、発信者番号通知の利便性が高められる。
【００１５】
請求項２、４に記載の発明では、データ伝送やＩＰ電話にかかわるサービスの提供に併せて、所望の形態による電話の運用と発信者番号通知の機能の有効な活用とが図られる。
請求項５に記載の発明では、記憶手段を参照することによって行われる処理の処理量が削減され、かつ消費電力の節減に併せて、応答性の向上が図られる。
したがって、これらの発明が適用された通信系では、コストが大幅に増加することなく、発信者番号通知の機能が有効に活用され、かつサービス品質および付加価値が高められる。
【発明を実施するための最良の形態】
【００１６】
以下、図面に基づいて本発明の実施形態について詳細に説明する。
図１は、本発明の一実施形態を示す図である。
図において、ＡＤＳＬモデム１０は「ＡＤＳＬを兼ねる加入者線３１」を介して加入者線交換局３２に接続され、その加入者交換局３２は公衆電話網３３とインタネット(ＩＰ網)３４とに接続される。また、ＡＤＳＬモデム１０には、加入者線３１の信号方式に適合したアナログの電話機４０が接続される。
【００１７】
このようなＡＤＳＬモデム１０は、下記の要素から構成される。
・  加入者線３１に接続されたスプリッタ１１
・  そのスプリッタ１１に備えられ、かつ加入者線３１の伝送帯域の低域に対応する二線式の入出力端子（以下、「低域入出力端子」という。）に接続された第一の接点に併せて、上述した電話器４０に接続された第二の接点を個別に有するスイッチ１２-t、１２-r
・  この低域入出力端子に接続された検出器１３
・  平衡出力端子を有するＤＴＭＦ(Dual Tone Multifrequency)信号発生器１４
・  一方の端子がそのＤＴＭＦ信号発生器１４の平衡出力端子の内、一方の端子に接続され、かつ他方の端子が上述した低域入出力端子の一方に接続された抵抗器１５
・  このＤＴＭＦ信号発生器１４の平衡出力端子の内、他方の端子に接続されたメーク接点と、上述した低域入出力端子の他方に接続された共通接点とを有するスイッチ１６
・  スイッチ１２-t、１２-rの第三の接点に個別に接続された入出力端子を有する加入者線インタフェース部（ＳＬＩＣ）１７
・  スプリッタ１１に備えられ、かつ加入者線３１の伝送帯域の高域に対応する入出力端子に接続された信号処理部１８
・  ＡＤＳＬモデム１０の周辺に無線ゾーンを形成し、その無線ゾーンに位置する端末５０-1〜５０-nとの間における無線伝送路の形成（ここでは、標準ＩＥＥＥ８０２．１１ｂに準拠すると仮定する。）を行う無線部１９
・  パーソナルコンピュータ（ＰＣ）６０の通信ポートとの間に、ＣＳＭＡ／ＣＤ方式の通信リンクを形成するＬＡＮインタフェース部２０
・  検出器１３の出力に接続された入力ポートと、ＤＴＭＦ信号発生器１４の入力端子に接続された出力ポートとに併せて、加入者線インタフェース部１７、信号処理部１８、無線部１９およびＬＡＮインタフェース部２０の入出力端子にそれぞれ接続された入出力ポートを有するプロセッサ（ＣＰＵ）２１
図２は、本実施形態の動作を説明する図である。
【００１８】
図３は、本実施形態の動作フローチャートである。
以下、図１〜図３を参照して本実施形態の動作を説明する。
端末５０-1〜５０-nに共通の事項については、以下では、添え文字「１」〜「ｎ」の何れにも該当し得ることを意味する添え文字「ｃ」を符号に付加することによって記載する。
【００１９】
各部の基本的な動作は、下記の通りである。
無線部１９は、プロセッサ２１の配下で作動することによって、標準ＩＥＥＥ８０２．１１ｂに準拠したＣＳＭＡ／ＣＡ方式に基づく無線ＬＡＮとして、端末５０-cとの間に無線伝送路を形成する。
信号処理部１８は、プロセッサの配下で作動することによって、加入者線３１の伝送帯域の高域を介してその加入者線３１およびスプリッタ１１を介して加入者線交換局３２と相互に引き渡される信号の変復調を行う。
【００２０】
スイッチ１２-t、１２-rの第一の接点はプロセッサ２１の主導の下で既述の第二の接点または第三の接点に接続され、かつ加入者線インタフェース部１７は、このようなスイッチ１２-t、１２-rを介して加入者線３１に接続されている状態では、電話機４０の代行に併せて、この加入者線３１とプロセッサ２１との間におけるレジスタ信号および通話信号の引き渡しを行う。
【００２１】
なお、ＡＤＳＬモデム１０に電力が供給されていない期間と、そのＡＤＳＬモデム１０が始動してもその始動が完了していない期間とには、スイッチ１２-t、１２-rの第一の接点が共に対応する第二の接点に接続されるために、電話機４０は、これらのスイッチ１２-t、１２-rおよびスプリッタ１１を介して加入者線３１に接続される。したがって、このような期間には、電話機４０は、加入者線３１の低域を介して加入者線交換局３２にアクセスできるので、発信と、着信呼に対する応答と、通話との何れにも供される。
【００２２】
検出器１３は、加入者線３１およびスプリッタ１１を介して加入者線交換局３２から受信されるライン信号（極性反転だけではなく、着信を意味するリンギング信号を含む。）を検出し、これらのライン信号に対応したイベントをプロセッサ２１に通知する。
スイッチ１６は、プロセッサ２１の主導の下で開設定あるいは閉設定されることによって、ＤＴＭＦ信号発生器１４および抵抗器１５と共に、スプリッタ１１を介して加入者線３１を直流的に終端する直流ループを適宜形成する。
【００２３】
ＤＴＭＦ信号発生器１４は、このような直流ループが形成されている期間にプロセッサ２１によって与えられる指示に基づいてレジスタ信号であるＤＴＭＦ信号を生成する。このＤＴＭＦ信号は、抵抗器１５およびスイッチ１６と、スプリッタ１１および加入者線３１を介して加入者線交換局３２宛に送出される。
また、プロセッサ２１の主導の下で各部が連係することによって行われる総合的な動作は、下記の通りである。
（パソコン６０によるインタネット３４へのアクセス）
・  プロセッサ２１は、ＬＡＮインタフェース部２０を介してパソコン６０と相互に、インタネット３４に適合した通信手順ＴＣＰ、ＩＰ等に基づくパケットの送信と受信とを行う。
・  これらのパケットの列は、既述の通りに信号処理部１８によって行われる変復調の下で、ＡＤＳＬに適合した加入者線３１の伝送帯域の高域を介して加入者線交換局３２との間で引き渡され、さらに、その加入者線交換局３２が行う中継の下でインタネット３４と相互に引き渡される。
（公衆電話３３に収容された加入者に対する電話機４０の発信）
・  プロセッサ２１は、電話機４０から加入者線インタフェース部１７を介して与えられる発信要求およびダイヤル番号に応じて、その電話機４０に代わるスイッチ１６、ＤＴＭＦ信号発生機１４、検出器１３およびスプリッタ１１を介して、加入者線３１にアクセスする。
・  該当する発信呼が完了呼または不完了呼となることが確定した場合には、プロセッサ２１は、スイッチ１２-t、１２-rおよびスプリッタ１１を介してこの電話機４０を加入者線に接続し、かつスイッチ１６を開設定する。
・  さらに、プロセッサ２１は、検出器１３と連係することによって上述した完了呼の終話（消滅）または電話機４０のオンフックを検出すると、スイッチ１２-t、１２-rの第一の接点を対応する第二（または第三）の接点に接続することによって、加入者線３１に電話機４０（または加入者線インタフェース部１７）を接続する。
（端末５０-cによる発信）
・  プロセッサ２１は、無線部１９を介して端末５０-cから発呼信号が受信されると、規定の呼設定の手順に基づいてその端末５０-cによって送出され、かつ着信先を示すダイヤル番号を取得する。
・  プロセッサ２１は、そのダイヤル番号を解析し、着信先が公衆電話網３３に収容された加入者であることを識別すると、発信元が電話機４０である場合と同様にスイッチ１６、ＤＴＭＦ信号発生機１４、検出器１３およびスプリッタ１１を介して、加入者線３１に対するアクセスを行う。
・  該当する発信呼が完了呼または不完了呼となることが確定した場合には、プロセッサ２１は、スイッチ１２-t、１２-rの第一の接点を対応する第三の接点に接続することによって、スプリッタ１１を介して加入者線３１に加入者インタフェース部１７を接続し、かつ通話信号については、この加入者線３１と無線部１９との間における引き渡しをその加入者線インタフェース部１７およびプロセッサ２１を介して行う。
・  また、このような完了呼または不完了呼の消滅（終話）等を意味するライン信号の内、加入者線３１から引き渡されるライン信号の検出については、検出器１３を介して行い、反対に、端末５０-cから引き渡されるライン信号については、無線部１９を介して検出し、かつスイッチ１６の接点を介して加入者線３１に引き渡す。
（端末５０-cに生起し、通話相手がインタネット電話網に収容された呼の呼設定）
・  プロセッサ２１は、信号処理部１８およびスプリッタ１１を介して加入者線３１の伝送帯域の高域を介してインタネット３４と所定のパケットの送受信を行うことによって、該当する呼の呼設定を行う。
・  このような呼設定の過程では、プロセッサ２１は、無線部１９を介して端末５０-cと適宜連係し、かつ完了呼の通話信号を示すパケットの列については、信号処理部１８および無線部１９と連係することによって、端末５０-cと上述した高域との間における引き渡しを行う。
（電話機４０に生起し、通話相手がインタネット電話網に収容された呼の呼設定）
・  プロセッサ２１は、信号処理部１８およびスプリッタ１１を介して加入者線３１の伝送帯域の高域を介してインタネット３４と所定のパケットの送受信を行うことによって、該当する呼の呼設定を行う。
・  このような呼設定の過程では、プロセッサ２１は、該当する呼が電話機４０に生起したことを識別すると、スイッチ１２-t、１２-rの何れについても第二の接点を第三の接点に接続し、かつ加入者インタフェース部１７による加入者線３１の代替を図る。
・  さらに、プロセッサ２１は、上述した加入者線インタフェース部１７を介して電話機４０と適宜連係し、かつ完了呼の通話信号（ＶｏＩＰに適合したパケットの列を変換することによって生成され、あるいはこのようなパケットの列への変換の対象となるアナログ信号）については、この加入者線インタフェース部１７および信号処理部１８と連係することによって、電話機４０と上述した高域との間における引き渡しを行う。
【００２４】
本実施形態の特徴は、加入者線３１を介して着信し、その加入者線３１の伝送帯域の低域を介して発信者番号が通知された着信呼の呼設定の手順にある。
以下、このような着信呼の呼設定の過程における各部の動作を説明する。
プロセッサ２１の主記憶の特定の記憶領域には、図４に示すように、下記のかつのフィ
ールドから構成される鳴動端末テーブル２１Ｔが配置される。
・  端末５０-1〜５０-nの通話相手となり得る発信者を個別に示す発信者番号（「０９００００００００１」〜「０９００００００００３」、…）が格納された「発信者番号」フィールド
・  これらの発信者番号毎に『端末５０-1〜５０-nがそれぞれ該当する発信者番号で示される発信者から着信した呼の応答に対する適用が許容されるか否かを示す二値情報（ここでは、論理値「１」は許容されることを意味し、論理値「０」は許容されないことを意味すると仮定する。）の列』が格納された「二値情報」フィールド
加入者線３１を介して着信する着信呼は、その加入者線３１に印加される電圧の極性の反転（図２(1))と、その極性の反転に後続して規定の時間内にこの加入者線３１を介して受信される可聴周波信号である「情報受信端末起動信号」（図２(2))として、加入者線交換局３２から通知される。
【００２５】
プロセッサ２１は、検出器１３を介してこれらの極性の反転と「情報受信端末起動信号」とを検出すると、スイッチ１６を閉設定し、そのスイッチ１６とスプリッタ１１とを介して加入者線３１が直流的に終端された状態（以下、このような終端によって加入者交換機３２に伝達される情報を「一次応答信号」という。）として、その旨を加入者線交換局３２に通知する（図２(3)、図３(1))。
【００２６】
加入者線交換局３２は、その「一次応答信号」を識別すると、該当する着信呼の発信元を示す「発信者番号」を加入者線３１に送出する（図２(4))。なお、このような「発信者番号」については、ＩＴＵ−Ｔの勧告Ｖ．２３に準拠した可聴周波数信号として送出されると仮定する。
ＡＤＳＬモデム１０では、この「発信者番号」は、スプリッタ１１を介して検出器１３に伝達され、その検出器１３によって受信されると共に、プロセッサ２１に引き渡される（図２(5))。
【００２７】
プロセッサ２１は、その「発信者番号」を取得すると、スイッチ１６を開設定し、そのスイッチ１６とスプリッタ１１とを介して加入者線３１の直流的な終端が解除された状態（以下、このような終端の解除によって加入者交換機３２に伝達される情報を「受信完了信号」という。）として、その旨を加入者線交換局３２に通知する（図２(6)、図３(2))。
【００２８】
加入者線交換局３２は、その「受信完了信号」を識別すると、該当する着信呼の着信先の呼び出しの要求を意味する「呼び出し信号」を加入者線３１に送出し（図２(7))、かつこの着信呼の発信元に対するリングバックトーンの送出を開始する（図２(8))。
ＡＤＳＬモデム１０では、この「呼び出し信号」は、検出器１３によって検出され、かつプロセッサ２１に通知される（図２(9))。プロセッサ２１は、このような「呼び出し信号」を識別すると、下記の一連の処理を行う。
(1) 鳴動端末テーブル２１Ｔのレコードの内、先行して取得された「発信者番号」に対応するレコード（以下、「特定のレコード」という。）を特定する（図３(3))。
(2) 端末５０-1〜５０-nの内、その「特定のレコード」に含まれる二値情報の論理値が「１」である端末（以下、「鳴動対象端末」という。）の全てを特定する（図３(4))。
(3) 無線部１９を介してこれらの「鳴動対象端末」の全て宛に、上記の「発信者番号」に併せて、呼び出し音の生成の要求（以下、「鳴動要求」という。）を送出する（図２(10)、図３(5))) 。なお、このような「発信者番号」および「鳴動要求」については、既述の通りに無線部１９と端末５０-1〜５０-nとの間において、無線伝送路の形成に適用される標準ＩＥＥＥ８０２．１１ｂとの適合性が損なわれることなく確保されるパケットのスペアフィールドを介して引き渡されると仮定する。
【００２９】
一方、これらの鳴動対象端末は、これらの引き渡された発信者番号を表示し、かつ並行して呼び出し音を出力することによって、着信呼が生起したことをユーザに通知する。
鳴動対象端末の内、ユーザによる応答が最先に行われた鳴動対象端末（以下、「特定の鳴動対象端末」という。）５０-cは、その旨を示す「着信応答信号」をＡＤＳＬモデム１０宛に送信する（図２(11))。
【００３０】
プロセッサ２１は、無線部１９を介してこの「着信応答信号」を受信すると、下記の処理を行う。
・  「特定の鳴動対象端末」以外の全ての「鳴動対象端末」宛に、その旨を意味する「鳴動中止要求」を送出する（図２(12)、図３(6)) 。
・  スイッチ１６を閉設定することによって、そのスイッチ１６とスプリッタ１１とを介して加入者線３１が直流的に終端された状態（以下、このような終端によって加入者交換機３２に伝達される情報を「二次応答信号」という。）を加入者線交換局３２に通知する（図２(13)、図３(7))。
【００３１】
加入者線交換局３２は、この「二次応答信号」を識別すると、既述のリングバックトーンの送出を中止し、かつ加入者線３１に印加される電圧の極性の反転を解除することによって、ＡＤＳＬモデム１０にその旨を通知する（図２(14))と共に、この加入者線３１と発信元との間に通話路を形成する（図２(15))。
ＡＤＳＬモデム１０では、プロセッサ２１は、このような極性の反転の解除を検出器１３を介して識別する（図２(16))と、下記の処理を行う。
・  無線部１９を介して特定の鳴動対象端末宛に通話状態への移行を指示する（図３(8))。
・  スイッチ１２-t、１２-rおよびスプリッタ１１を介して加入者線インタフェース部１７を加入者線３１に接続する（図３(9))。
・  加入者線インタフェース部１７および無線部１９と連係することによって、特定の鳴動対象端末と加入者線３１との間における双方の通話信号の伝達を行う（図２(17))。
【００３２】
すなわち、加入者線３１を介して着信した何れの呼についても、発信者に対する応答やその発信者との通話に供されることが許容される所望の端末のみが鳴動し、その発信者の発信者番号がこれらの端末のみを介して表示される。
したがって、本実施形態によれば、端末５０-1〜５０-nの配置だけではなく、これらの端末５０-1〜５０-nが所属する組織や部署の構成および配置に対して柔軟に適応した形態による電話の運用が実現され、かつ発信者番号通知の機能が有効に活用される。
【００３３】
さらに、鳴動端末テーブル２１Ｔの内容に応じて、発信元が特定の発信者番号で示される着信呼に応じた鳴動の対象から所望の端末が除外される。
したがって、本実施形態によれば、着信呼に対する無用な応答や転送等の取り次ぎが回避され、かつ作業や業務の遂行にかかわる環境が適正に維持されると共に、電話や発信者番号通知の利便性が高められる。
【００３４】
なお、本実施形態では、ＡＤＳＬモデム１０に本発明が適用されている。
しかし、本発明は、下記の通りに、ＡＤＳＬ以外の多様なディジタル加入者線とのインタフェースをとるディジタル加入者線モデムにも、同様に適用可能である。
・  ＶＤＳＬ(Very High-Bit-Rate Digital Subscriber Line)
・  ＨＤＳＬ(High-Bit-Rate Digital Subscriber Line)
・  ＳＤＳＬ(Symmetric Digital Subscriber Line)
・  ＩＤＳＬ(ISDN Digital Subscriber Line)
・  ＣＤＳＬ(Consumer Digital Subscriber Line)
・  ＣｉＤＳＬ(Consumer-installable Digital Subscriber Line)
・  ＭＤＳＬ(Multi(Medium)-Rate Digital Subscriber Line)、
また、本実施形態では、ＡＤＳＬモデム１０は、電話機４０と別体の装置として構成されている。
【００３５】
しかし、本発明は、例えば、公衆電話網とＩＰ電話網との双方もしくは何れか一方にアクセス可能な電話機に内蔵され、あるいは所望の数の電話機と加入者線（ディジタル加入者線を含む。）とのインタフェースをとる網終端装置にも、同様に適用可能である。
さらに、本発明は、ディジタル加入者線モデムに限定されず、例えば、加入者線３１に併せて、ケーブルテレビの伝送路に接続され、かつインタネット等に対するアクセスに供されるケーブルモデムにも、同様に適用可能である。
【００３６】
また、本実施形態では、鳴動端末テーブル２１Ｔを構成する各レコードには、既述の二値情報の列が予め登録されている。
しかし、このような鳴動端末テーブル２１Ｔは、例えば、上述した二値情報に代えて、対応する個々の端末の識別呼が登録されることによって構成されてもよい。
さらに、鳴動端末テーブル２１Ｔについては、例えば、端末５０-1〜５０-nの数ｎと、発信者番号表示の対象となるユニークな発信者の総数との一方が他方に対して大幅に小さい場合には、その一方が検索のキーに該当し、他方の識別子またはこのような識別子の列が予め登録されることによって構成されることによって、サイズが削減され、かつこのような鳴動端末テーブル２１Ｔを参照する処理の処理量の削減が図られてもよい。
【００３７】
また、本発明は、上述したＡＤＳＬモデム１０やケーブルモデムに限定されず、例えば、端末５０-1〜５０-nを内線として収容する構内交換機にも同様に適用可能である。
さらに、本実施形態では、既述の「発信者番号」と「鳴動要求」との双方が単一のパケットのスペアフィールドを介して端末５０-cに引き渡されている。
しかし、これらの「発信者番号」と「鳴動要求」とは、異なるパケットのスペアフィールドを介して端末５０-cに引き渡されてもよい。
【００３８】
また、本実施形態では、加入者線３１を介して着信した呼に対する応答は、端末５０-1〜５０-nの何れかのみを介して行われている。
しかし、本発明はこのような構成に限定されず、例えば、鳴動端末テーブル２１Ｔに電話機４０に対応した二値情報が登録され、かつ無線部１９に代えて加入者線インタフェース部１７がプロセッサ２１の配下で作動することによって、下記の事項を実現する処理が行われてもよい。
・  電話機４０の鳴動およびその鳴動の中止
・  その電話機４０を介する発信者番号表示
・  加入者線３１を介して着信した呼に対する応答
さらに、本実施形態では、ＡＤＳＬを介してインタネット３４に対するアクセス（ＩＰ電話網へのアクセス）が実現されるＡＤＳＬモデム１０に本発明が適用されている。
【００３９】
しかし、本発明は、このようなインタネット３４に代えて、「多様な伝送媒体、伝送方式および通信手順が適用された蓄積交換網またはメッセージ交換網」に対するアクセスを可能とする網終端装置にも同様に適用可能である。
また、本発明は、上述した実施形態に限定されるものではなく、本発明の範囲において多様な実施形態が可能であり、かつ構成装置の全てまたは一部に如何なる改良が施されてもよい。
【図面の簡単な説明】
【００４０】
【図１】本発明の一実施形態を示す図である。
【図２】本実施形態の動作を説明する図である。
【図３】本実施形態の動作フローチャートである。
【図４】鳴動端末テーブルの構成を示す図である。
【符号の説明】
【００４１】
１０  ＡＤＳＬモデム
１１  スプリッタ
１２，１６  スイッチ
１３  検出器
１４  ＤＴＭＦ信号発生器
１５  抵抗器
１７  加入者線インタフェース部（ＳＬＩＣ）
１８  信号処理部
１９  無線部
２０  ＬＡＮインタフェース部
２１  プロセッサ（ＣＰＵ）
２１Ｔ  鳴動端末テーブル
３１  加入者線
３２  加入者線交換局
３３  公衆電話網
３４  インタネット
４０  電話機
５０  端末
６０  パーソナルコンピュータ（ＰＣ）
【図１】
2006050156.tif 000003
【図２】
2006050156.tif 000004
【図３】
2006050156.tif 000005
【図４】
2006050156.tif 000006